(57)【要約】【課題】再送制御において電力を無駄に消費しない。【解決手段】受信側通信装置２０は、送信側通信装置１０から所定数の処理単位で再送されてきた受信データに基づいて、受信データ処理を実行する受信データ処理部２１と、所定数の処理単位のデータを受信する度に、受信データ処理部２１によって実行された受信データ処理の結果、受信データが正常であるか否かを判定する受信エラー判定部２２と、受信エラー判定部２２によって受信データが正常であると判定された場合、所定数の処理単位のうち正常であると判定された処理単位以降の受信データの受信データ処理を中止するように受信データ処理部２１を制御する受信データ処理制御部２３とを備える。【選択図】図１
2011015238.tif 000002
【特許請求の範囲】
【請求項１】
送信側の通信装置から所定数の処理単位で再送されてきた受信データに基づいて、受信データ処理を実行する受信データ処理部と、
前記所定数の処理単位のデータを受信する度に、前記受信データ処理部によって実行された受信データ処理の結果、前記受信データが正常であるか否かを判定する受信エラー判定部と、
前記受信エラー判定部によって前記受信データが正常であると判定された場合、前記所定数の処理単位のうち正常であると判定された処理単位以降の前記受信データの受信データ処理を中止するように前記受信データ処理部を制御する受信データ処理制御部と
を有することを特徴とする通信装置。
【請求項２】
前記受信データ処理部は、
前記送信側の通信装置から前記所定数の処理単位で送信されてきた受信データを前記処理単位ごとに順次記憶するデータ記憶部を有し、
前記データ記憶部によって記憶された受信データと再送された受信データとを前記処理単位ごとに合成し、合成した受信データを復号することを特徴とする請求項１に記載の通信装置。
【請求項３】
前記受信データ処理制御部は、
前記受信エラー判定部によって前記受信データが正常であると判定された場合、前記受信データ処理を動作させるクロックの供給を中止するように制御することを特徴とする請求項１または請求項２に記載の通信装置。
【請求項４】
前記送信側の通信装置から送信されてきた受信データの受信品質を前記処理単位ごとに計測する受信品質計測部と、
前記受信データが再送された場合、前記受信品質計測部によって計測された再送時の受信データの受信品質が、前記受信品質計測部によって計測された再送以前の受信データの受信品質より劣化しているか否かを前記処理単位ごとに判定する受信品質判定部とを有し、
前記受信データ処理制御部は、
前記受信品質判定部によって再送時の受信データの受信品質が再送以前の受信データの受信品質より劣化していると判定された場合、該当処理単位における前記受信データの受信データ処理を中止するように前記受信データ処理部を制御することを特徴とする請求項１から請求項３のいずれか１つに記載の通信装置。
【請求項５】
前記受信品質判定部は、
再送時の受信データの受信品質が、再送以前の受信データの受信品質より大きく劣化しているか否かを前記処理単位ごとに判定することを特徴とする請求項４に記載の通信装置。
【請求項６】
前記受信品質判定部は、
前記再送時の受信データの受信品質値が、再送以前の受信データの受信品質値より所定の閾値以上大きいか否かを前記処理単位ごとに判定することを特徴とする請求項５に記載の通信装置。
【請求項７】
送信側の通信装置から所定数の処理単位で再送されてきた受信データに基づいて、受信データ処理を実行する受信データ処理工程と、
前記所定数の処理単位のデータを受信する度に、前記受信データ処理工程によって実行された受信データ処理の結果、前記受信データが正常であるか否かを判定する受信エラー判定工程と、
前記受信エラー判定工程によって前記受信データが正常であると判定された場合、前記所定数の処理単位のうち正常であると判定された処理単位以降の前記受信データの受信データ処理を中止するように前記受信データ処理工程を制御する受信データ処理制御工程と
を含むことを特徴とする通信方法。
【発明の詳細な説明】
【技術分野】
【０００１】
本発明は、通信装置および通信方法に関する。
【背景技術】
【０００２】
近年、移動通信システムは、インターネット等を利用したマルチメディアサービスへの対応を実現するために、効率良くデータ伝送することが要求されている。かかる効率的なデータ伝送を実現する手段として、例えばＨ−ＡＲＱ（Hybrid Automatic Repeat Request）を用いたデータ伝送がある。
【０００３】
Ｈ−ＡＲＱは、ＡＲＱと誤り訂正符号を組み合わせることにより、再送時に誤り訂正能力を向上させ、再送合成による受信特性を向上させる技術である。
【０００４】
Ｈ−ＡＲＱでは、受信側装置がデータの誤り訂正処理を実行して、受信成功の場合には、受信成功を示すＡＣＫ（Acknowledgement）を送信側装置に送信し、受信失敗の場合には、受信失敗を示すＮＡＣＫを送信側装置に送信し、データの再送を要求する。
【０００５】
また、Ｈ−ＡＲＱでは、送信側装置からデータの再送を受信した受信側装置が、誤り検出されたデータをバッファに蓄積しておき、蓄積されたバッファ内のデータと再送されたデータとを合成する。これにより、受信品質が改善され、再送回数が増えるほど改善の度合いが高くなり、データの受信成功率が高まる。
【０００６】
図１０は、従来の移動通信システムの再送制御を説明する図である。送信側装置および受信側装置の再送制御は、複数（ｎ＞１）のＴＴＩ（Transmission Time Interval）（図１０の例では、４ＴＴＩ）分のデータ長単位で行われるが、１ＴＴＩごとに再送合成、復号処理、受信判定処理および判定結果通知が実行される。なお、ＴＴＩとは、各ユーザに割り当てられる最小単位の伝送時間である。
【０００７】
１無線フレーム（送信側装置および受信側装置間でパケットデータを送受信する基本単位）を１ＴＴＩとすると、ｎＴＴＩのデータ長ごとに再送制御が実行される。なお、送信側装置が、複数のＴＴＩにわたるパケットデータのうちの最後のＴＴＩのパケットデータを送信する時間から、受信側装置からの受信判定結果（ＡＣＫ／ＮＡＣＫ）を受信するまでの時間をＲＴＴ（Round Trip Time）という。図１０の例では、ＲＴＴは、６無線フレーム、すなわち６ＴＴＩである。
【０００８】
具体的には、送信側装置から４ＴＴＩのデータが送信される。受信側装置は、送信側装置から送信された１ＴＴＩ分のデータを受信するごとに、受信したデータをＴＴＩ単位で再送合成バッファに蓄積し、復号処理、受信判定処理および判定結果通知を実行する。
【０００９】
例えば、受信側装置は、最初に、４ＴＴＩ分のデータ＃１における１番目のＴＴＩのデータ＃１−１を蓄積する。受信側装置は、１番目のＴＴＩのデータ＃１−１を蓄積した次のＴＴＩの期間で、２番目のＴＴＩのデータ＃１−２を蓄積するとともに１番目のＴＴＩのデータ＃１−１の復号処理および受信判定をする。さらに、受信側装置は、次のＴＴＩの期間で、その受信判定結果を送信側装置に通知する。また、受信側装置は、２番目のＴＴＩのデータ＃１−２を蓄積した次のＴＴＩの期間で、３番目のＴＴＩのデータ＃１−３を蓄積するとともに既に蓄積されているデータ＃１−１および＃１−２の復号処理および受信判定をする。さらに、受信側装置は、次のＴＴＩの期間で、その受信判定結果を送信側装置に通知する。同様に、受信側装置は、４番目のＴＴＩのデータ＃１−４を蓄積した次のＴＴＩの期間で、４ＴＴＩ分のデータ＃１に対して復号処理および受信判定し、さらに次のＴＴＩの期間で、その受信判定結果を送信側装置に通知する。
【００１０】
この場合、図１０の例では、１番目のＴＴＩのデータ＃１−１にエラーが検出され、受信側装置が受信判定結果としてＮＡＣＫ（受信失敗）を通知すると、送信側装置は、４ＴＴＩ分のデータ＃１を再送する。
【００１１】
受信側装置は、１ＴＴＩ分のデータを受信するごとに、再送合成バッファ内に既に蓄積されているデータと受信したデータとを合成処理し、その合成データを再送合成バッファに蓄積する。受信側装置は、受信したデータを合成データとして蓄積した次のＴＴＩの期間で、既に蓄積されたデータの復号処理および受信判定をし、さらに次のＴＴＩの期間でその受信判定結果を送信側装置に通知する。この合成処理、復号処理、受信判定処理および判定結果通知の一連の処理は、再送データ＃１の各ＴＴＩのデータごとに実行されるため、受信側装置が受信判定結果として最初にＡＣＫ（受信成功）を通知したとき、送信側装置では、次のデータ＃２の送信に移ることができる。
【００１２】
図１１は、従来の他の移動通信システムの再送制御を説明する図である。図１１は、図１０の移動通信システムの再送制御の変形例である。この移動通信システムでは、受信側装置によって各ＴＴＩのデータごとに計測された受信品質（ＳＩＮＲ）に基づいて、送信側装置が各ＴＴＩのデータの再送順序を受信品質の悪い順に並び替える。さらに、受信側装置は、並び替えられた各ＴＴＩのデータを受信し、受信したデータをＴＴＩ単位で合成処理、復号処理、受信判定処理および判定結果通知を実行する。これにより、受信側装置は、４ＴＴＩの早い受信段階でＡＣＫ（受信成功）を期待することができ、さらに早く次のデータ＃２の送信に移行することができる。
【先行技術文献】
【特許文献】
【００１３】
【特許文献１】特開２００８−１６０７４２号公報
【発明の概要】
【発明が解決しようとする課題】
【００１４】
しかしながら、データが複数のＴＴＩにわたるような場合、複数のＴＴＩ分のデータごとに受信判定を実行する再送制御の技術では、電力を無駄に消費してしまうという問題がある。
【００１５】
例えば、複数のＴＴＩの中で１番目のＴＴＩのデータのみにエラーが検出された場合であっても、受信側装置は、送信側装置から全ＴＴＩ分のデータを再送されると、全ＴＴＩ分の各データについて受信処理（再送合成、復号処理および受信判定処理）を実行する。これにより、受信側装置は、仮に１番目ＴＴＩのデータの受信処理で受信判定が改善された場合であっても、２番目ＴＴＩ以降のデータの受信処理をも実行することとなり、受信処理を実行する回路に対して起動がかかり、無駄に電力を消費することになる。
【００１６】
本発明は、上記に鑑みてなされたものであって、再送制御において電力を無駄に消費しない通信装置および通信方法を提供することを目的とする。
【課題を解決するための手段】
【００１７】
上述した問題を解決し、目的を達成するために、通信装置は、送信側の通信装置から所定数の処理単位で再送されてきた受信データに基づいて、受信データ処理を実行する受信データ処理部と、前記所定数の処理単位のデータを受信する度に、前記受信データ処理部によって実行された受信データ処理の結果、前記受信データが正常であるか否かを判定する受信エラー判定部と、前記受信エラー判定部によって前記受信データが正常であると判定された場合、前記所定数の処理単位のうち正常であると判定された処理単位以降の前記受信データの受信データ処理を中止するように前記受信データ処理部を制御する受信データ処理制御部とを備える構成を採る。
【発明の効果】
【００１８】
以上により、通信装置は、再送された受信データの受信データ処理において電力を無駄に消費しないという効果を奏する。
【図面の簡単な説明】
【００１９】
【図１】図１は、実施例１に係る通信装置の構成を示す機能ブロック図である。
【図２】図２は、実施例２に係る通信装置の構成を示す機能ブロック図である。
【図３】図３は、実施例２に係る通信装置の再送制御を説明する図である。
【図４】図４は、従来の通信装置の再送制御を説明する図である。
【図５】図５は、実施例２に係る受信側通信装置の受信制御の処理手順を示すフローチャートである。
【図６】図６は、実施例３に係る通信装置の構成を示す機能ブロック図である。
【図７】図７は、実施例３に係る通信装置の再送制御を説明する図である。
【図８】図８は、合成処理の有無の判定を説明する図である。
【図９】図９は、実施例３に係る受信側通信装置の受信制御の処理手順を示すフローチャートである。
【図１０】図１０は、従来の移動通信システムの再送制御を説明する図である。
【図１１】図１１は、従来の移動通信システムの再送制御を説明する図である。
【発明を実施するための形態】
【００２０】
以下に、本発明に係る通信装置および通信方法の実施例を図面に基づいて詳細に説明する。なお、本実施例によりこの発明が限定されるものではない。
【実施例１】
【００２１】
図１は、本実施例１に係る通信装置の構成を示す機能ブロック図である。図１に示すように、通信装置１は、送信側通信装置１０および受信側通信装置２０を有している。さらに、受信側通信装置２０は、受信データ処理部２１、受信エラー判定部２２および受信データ処理制御部２３を有している。なお、送信側通信装置１０は、送信機能のみを示し、受信側通信装置２０は、受信機能のみを示し、他の機能は省略しているものとする。
【００２２】
通信装置１は、送信側通信装置１０および受信側通信装置２０間を、所定数の処理単位にわたるデータを１つの送受信単位として通信する。
【００２３】
送信側通信装置１０は、所定数の処理単位にわたるデータを誤り訂正符号に変換して受信側通信装置２０に送信する。また、送信側通信装置１０は、再送要求を受信側通信装置２０から受信すると、当該データを再び誤り訂正符号に変換して受信側通信装置２０に再送する。
【００２４】
受信側通信装置２０は、受信データ処理部２１、受信エラー判定部２２および受信データ処理制御部２３を有している。
【００２５】
受信データ処理部２１は、送信側通信装置１０から所定数の処理単位で再送されてきた受信データに基づいて、受信データ処理を実行する。
【００２６】
受信エラー判定部２２は、所定数の処理単位のデータを受信する度に、受信データ処理部２１によって実行された受信データ処理の結果、受信データが正常であるか否かを判定する。
【００２７】
受信データ処理制御部２３は、受信エラー判定部２２によって受信データが正常であると判定された場合、所定数の処理単位のうち正常であると判定された処理単位以降の受信データの受信データ処理を中止するように受信データ処理部２１を制御する。
【００２８】
上記実施例１によれば、受信側通信装置２０は、受信データが再送されるとき、所定数の処理単位のうち正常であると判定された処理単位以降から所定数最後の処理単位までの各データの受信データ処理を実行しないため、その分の受信データ処理にかかる無駄な電力消費を抑制することができる。
【実施例２】
【００２９】
図２は、本実施例２に係る通信装置２の構成を示す機能ブロック図である。通信装置２は、送信側通信装置１０および受信側通信装置２０を有しており、移動無線通信装置間の通信を行う装置である。また、通信装置２は、再送制御としてＨ−ＡＲＱ方式を用いる。なお、図１に示す通信装置１と同一の構成については同一符号を付すことで、その重複する構成及び動作の説明については省略する。
【００３０】
図２に示す通信装置２の送信側通信装置１０と実施例１に示す通信装置１の送信側通信装置１０とが異なるところは、再送バッファ１１、誤り判定情報付加部１２、誤り訂正符号処理部１３、変調部１４、再送制御部１５、符号化処理パラメータ生成部１６、制御情報生成部１７および受信部１８を追加した点にある。また、図２に示す通信装置２の受信側通信装置２０と実施例１に示す通信装置１の受信側通信装置２０とが異なるところは、受信データ処理部２１に再送合成バッファ２１ａおよび復号部２１ｂを追加し、復調部２４、制御情報抽出部２５および送信部２６を追加した点にある。
【００３１】
送信側通信装置１０の再送バッファ１１は、送信する送信データを蓄積するバッファであり、データ送信後においても受信側通信装置２０から当該送信データの受信成功を示すＡＣＫを受信するまで、当該送信データを蓄積する。ここで、送信データは、所定数の処理単位にわたるデータの長さを１つの送信単位としたデータである。所定数とは、２以上の整数であれば良い。また、処理単位とは、例えば、各ユーザに割り当てられる最小単位の伝送時間であるＴＴＩ（Transmission Time Interval）である。なお、以降、処理単位をＴＴＩとして説明するものとする。
【００３２】
誤り判定情報付加部１２は、送信データにエラー判定情報を付加する。例えば、エラー判定情報には、ＣＲＣ（Cyclic Redundancy Check）がある。
【００３３】
誤り訂正符号処理部１３は、エラー訂正符号を含む符号化パラメータにより送信データを符号化する。例えば、エラー訂正符号には、ＦＥＣ（Forward Error Correction）やパリティビットがある。
【００３４】
変調部１４は、後記する制御情報および符号化された送信データを変調する。また、変調部１４は、変調された送信データを送信する。
【００３５】
再送制御部１５は、受信側通信装置２０からの受信失敗（ＮＡＣＫ）に基づいて、再送バッファ１１に対して送信データの蓄積制御を行う。また、再送制御部１５は、符号化処理パラメータ生成部１６を制御する。
【００３６】
符号化処理パラメータ生成部１６は、エラー訂正符号を含む符号化パラメータを生成し、生成した符号化パラメータを誤り訂正符号処理部１３に出力する。
【００３７】
制御情報生成部１７は、符号化パラメータを符号化処理パラメータ生成部１６より取得し、符号化パラメータに対応する復号パラメータを含む制御情報を生成する。なお、制御情報には、復号パラメータの他、新規データまたは再送データの区別を示す新規／再送情報が含まれる。
【００３８】
受信部１８は、受信側通信装置２０から受信された送信データの受信成功（ＡＣＫ）／受信失敗（ＮＡＣＫ）を示す受信結果を受信する。
【００３９】
受信側通信装置２０の受信データ処理部２１は、再送合成バッファ２１ａおよび復号部２１ｂを有している。
【００４０】
再送合成バッファ２１ａは、所定数のＴＴＩで送信されてきた受信データを１ＴＴＩごとに順次蓄積するバッファである。また、再送合成バッファ２１ａは、送信側通信装置１０から受信データが再送された場合に、既に蓄積されている受信データおよび再送された受信データを１ＴＴＩごとに合成する再送合成処理（図示せず）によって格納される。なお、再送合成処理は、例えば論理回路によって実現されるが、この論理回路に内蔵されたクロック発振器から供給されるクロックに基づいて動作する。
【００４１】
復号部２１ｂは、後記する制御情報抽出部２５によって抽出される復号パラメータを用いて、再送合成バッファ２１ａに蓄積された受信データを、ＴＴＩごと復号する。また、復号部２１ｂは、送信側通信装置１０から受信データが再送された場合に、復号パラメータを用いて、再送合成バッファ２１ａに既に蓄積された受信データと合成された受信データを、ＴＴＩごと復号する。なお、復号部２１ｂによって実行される復号処理は、例えば論理回路によって実現されるが、この論理回路に内蔵されたクロック発振器から供給されるクロックに基づいて動作する。
【００４２】
なお、再送合成バッファ２１ａを用いた再送合成処理および復号部２１ｂによって実行される処理を「受信データ処理」という。
【００４３】
受信エラー判定部２２は、復号処理がＴＴＩごとにされる度に、受信データ処理の結果を示すエラー判定情報に基づいて、受信データ処理がされた受信データが正常であるか否かを判定し、判定結果を受信データ処理制御部２３および送信部２６に通知する。
【００４４】
受信データ処理制御部２３は、受信エラー判定部２２から判定結果を取得すると、判定結果に基づいて、受信データ処理部２１を制御する。具体的には、受信データ処理制御部２３は、受信エラー判定部２２から取得された判定結果が正常である場合には、受信成功と判断して、受信データ処理を動作させるクロック供給を中止（ＯＦＦ）するようにクロック発振器を制御する。その結果、再送合成バッファ２１ａおよび復号部２１ｂは、クロック供給の中止以降のＴＴＩごとの受信データ処理を中止することになる。
【００４５】
一方、受信データ処理制御部２３は、受信エラー判定部２２から取得された判定結果が異常である場合には、受信失敗と判断して、受信データ処理を動作させるクロック供給を実行（ＯＮ）するようにクロック発振器を制御する。
【００４６】
また、受信データ処理制御部２３は、制御情報抽出部２５から新規／再送情報を取得すると、新規／再送情報に基づいて、受信データ処理部２１を制御する。具体的には、受信データ処理制御部２３は、制御情報抽出部２５から取得された新規／再送情報が新規である場合には、受信データ処理を動作させるクロック供給を実行（ＯＮ）するようにクロック発振器を制御する。一方、受信データ処理制御部２３は、制御情報抽出部２５から取得された新規／再送情報が再送である場合には、初回ＴＴＩ分の受信データであるときクロック供給を実行（ＯＮ）に制御し、初回ＴＴＩ分以外の受信データであるときクロック供給の状態を維持させる。
【００４７】
復調部２４は、送信側通信装置１０から受信データを受信すると、受信した受信データをＴＴＩごとに復調する。
【００４８】
制御情報抽出部２５は、復調部２４によって復調された受信データに含まれた制御情報をＴＴＩごとに抽出する。また、制御情報抽出部２５は、制御情報に含まれた復号パラメータを復号処理部２１ｂに出力する。さらに、制御情報抽出部２５は、制御情報に含まれた新規／再送情報を受信データ処理制御部２３に出力する。
【００４９】
送信部２６は、受信エラー判定部２２から判定結果を取得すると、判定結果に基づいて、受信結果を送信側通信装置１０に送信する。具体的には、送信部２６は、受信エラー判定部２２から取得された判定結果が正常である場合には、受信成功と判断して、ＡＣＫを送信側通信装置１０に送信する。一方、送信部２６は、受信エラー判定部２２から取得された判定結果が異常である場合には、受信失敗と判断して、ＮＡＣＫを送信側通信装置１０に送信する。
【００５０】
次に、実施例２に係る通信装置２の再送制御について、図３および図４を参照して説明する。図３は、実施例２に係る通信装置２の再送制御を説明する図であり、図４は、従来の通信装置の再送制御を説明する図である。なお、１無線フレームを１ＴＴＩとし、１回の送受信は４ＴＴＩの時間行われる。また、ＲＴＴは、６無線フレーム（６ＴＴＩ）である。さらに、初回の送信において、データ＃１−１に誤り訂正不可能なエラーが含まれているものとする。
【００５１】
送信側通信装置１０から送信された送信データは、４ＴＴＩの時間をかけて受信側通信装置２０に送信される。送信側通信装置１０から送信された送信データは、２ＴＴＩ（２無線フレーム）後に受信側通信装置２０により受信される。受信側通信装置２０は、ＴＴＩごとのデータを受信すると、受信したデータをＴＴＩごとに再送合成バッファ２１ａに格納するとともに、次の時間で再送合成バッファ２１ａに格納されているデータの復号処理および受信エラー判定処理を実行する。
【００５２】
例えば、受信側通信装置２０は、無線フレームＦ３で、最初に４ＴＴＩ分のデータ＃１における１番目のＴＴＩのデータ＃１−１を再送合成バッファ２１ａに格納して、次の無線フレームＦ４で、再送合成バッファ２１ａに格納されているデータ＃１−１の復号処理および受信エラー判定処理を実行する。なお、無線フレームＦ４では、受信側通信装置２０は、２番目のＴＴＩのデータ＃１−２を再送合成バッファ２１ａに格納しているが、復号処理の対象となるのは、無線フレームＦ３時点で再送合成バッファ２１ａに格納されているデータとなる。この場合、無線フレームＦ３時点で再送合成バッファ２１ａに４ＴＴＩ分のデータがまだ格納されていないため、受信エラー判定処理では、受信失敗となり、次の無線フレームＦ５において、ＮＡＣＫを送信側通信装置１０に送信する。
【００５３】
受信側通信装置２０は、同様に、４ＴＴＩ分のデータが再送合成バッファ２１ａに格納される無線フレームＦ６まで各無線フレームで、再送合成処理、復号処理および受信エラー判定処理を実行する。そして、受信側通信装置２０は、無線フレームＦ６で４ＴＴＩ分のデータが再送合成バッファ２１ａに格納されると、次の無線フレームＦ７で、再送合成バッファ２１ａに格納されている４ＴＴＩ分のデータ＃１−１〜４の復号処理および受信エラー判定処理を実行する。図３の例では、無線フレームＦ６時点で４ＴＴＩ分のデータが再送合成バッファ２１ａに格納されているが、データ＃１−１に誤り訂正不可能なエラーが含まれているため、受信エラー判定処理では、受信失敗となり、次の無線フレームＦ８において、ＮＡＣＫを送信側通信装置１０に送信する。
【００５４】
送信側通信装置１０は、４ＴＴＩ分のＮＡＣＫを受信すると、データ＃１の再送を開始する。
【００５５】
受信側通信装置２０は、無線フレームＦ１２において、再送されたデータ＃１における１番目のＴＴＩのデータ＃１−１を受信し、受信したデータ＃１−１と既に再送合成バッファ２１ａに格納されているデータ＃１−１とを合成して、再送合成バッファ２１ａに格納する。次の無線フレームＦ１３では、再送合成バッファ２１ａに既に格納されているデータ＃１−１〜４の復号処理および受信エラー判定処理を実行する。図３の例では、再送されたデータ＃１−１にエラーが含まれていないため、受信エラー判定処理では、受信成功となり、次の無線フレームＦ１４において、ＡＣＫを送信側通信装置１０に送信する。
【００５６】
受信側通信装置２０は、再送されたデータ＃１−１に対する受信エラー判定処理の判定結果が受信成功となったため、データ＃１−１以降に再送されるデータ＃１−２〜４に対する受信データ処理（再送合成処理および復号処理）を中止する。
【００５７】
図４に示すように、従来の通信装置では、受信側通信装置２０は、再送されるデータ＃１−２〜４も、無線フレームＦ１３〜Ｆ１５でそれぞれ合成処理されて再送合成バッファ２１に格納され、さらに無線フレームＦ１４〜Ｆ１６で復号処理される。
【００５８】
これに対し、図３に示す実施例２に係る通信装置２では、受信側通信装置２０が、データ＃１−２〜４に対する受信データ処理（再送合成処理および復号処理）を実行しないため、無駄な電力の消費を抑制することが可能となる。
【００５９】
次に、実施例２に係る受信側通信装置２０の再送制御の処理手順を、図５を参照して説明する。図５は、実施例２に係る受信側通信装置２０の再送制御の処理手順を示すフローチャートである。
【００６０】
まず、受信側通信装置２０の復調部２４は、送信側通信装置１０から送信される送信データが受信されたか否かを判定し（ステップＳ１１）、送信データが受信されないと判定する場合には（ステップＳ１１Ｎｏ）、送信データが受信されるまで待ち合わせる。
【００６１】
そして、送信データが受信されたと判定される場合には（ステップＳ１１Ｙｅｓ）、復調部２４は、受信された受信データを復調する（ステップＳ１２）。なお、復調部２４は、所定数のＴＴＩにわたる受信データを１ＴＴＩごと復調して、以下の処理に移行する。
【００６２】
さらに、制御情報抽出部２５は、復調部２４によって復調された１ＴＴＩ分の受信データに含まれた制御情報を抽出する（ステップＳ１３）。なお、制御情報には、復号パラメータおよび新規／再送情報が含まれている。
【００６３】
引き続き、受信データ処理制御部２３は、制御情報抽出部２５によって抽出された新規／再送情報に基づいて、新規データであるか否かを判定する（ステップＳ１４）。
【００６４】
そして、新規データであると判定される場合には（ステップＳ１４Ｙｅｓ）、受信データ処理制御部２３は、受信データ処理（再送合成処理および復号処理）動作のクロック供給をＯＮする（ステップＳ１５）。例えば、受信データ処理制御部２３は、受信データ処理（再送合成処理および復号処理）を動作させるクロック供給を実行するようにクロック発振器を制御する。
【００６５】
さらに、再送合成バッファ２１ａには、１ＴＴＩ分の受信データが格納される（ステップＳ１６）。
【００６６】
引き続き、復号部２１ｂは、制御情報抽出部２５によって抽出される復号パラメータを用いて、再送合成バッファ２１ａに蓄積された受信データを復号する（ステップＳ１７）。
【００６７】
その後、受信エラー判定部２２は、受信データ処理がされた受信データが正常であるか否かを判定する（ステップＳ１８）。
【００６８】
また、受信エラー判定部２２は、受信判定結果（ＡＣＫ／ＮＡＣＫ）を受信データ処理制御部２３および送信部２６に通知する（ステップＳ１９）。
【００６９】
そして、受信データ処理制御部２３は、受信判定結果が受信成功（ＡＣＫ）であると判定する場合には（ステップＳ２０Ｙｅｓ）、受信データの受信が成功であったため、受信データの受信処理を終了する。
【００７０】
一方、受信データ処理制御部２３は、受信判定結果が受信失敗（ＮＡＣＫ）であると判定する場合には（ステップＳ２０Ｎｏ）、受信データの受信が失敗したため、所定数のＴＴＩにわたる受信データが全て受信されたか否かを判定する（ステップＳ２１）。
【００７１】
所定数のＴＴＩにわたる受信データが全て受信されていないと判定された場合には（ステップＳ２１Ｎｏ）、次のＴＴＩ分の受信データを待ち合わせるために、ステップＳ１１に移行する。
【００７２】
所定数のＴＴＩにわたる受信データが全て受信されたと判定された場合には（ステップＳ２１Ｙｅｓ）、その後、当該受信データの再送が送信側通信装置１０によって実行されることになる。
【００７３】
一方、受信データ処理制御部２３は、新規データでなく再送データであると判定する場合には（ステップＳ１４Ｎｏ）、受信データ処理制御部２３は、所定数のＴＴＩにわたる受信データのうち初回ＴＴＩである場合には、受信データ処理（再送合成処理および復号処理）動作のクロック供給をＯＮする。なお、受信データ処理制御部２３は、所定数のＴＴＩにわたる受信データのうち初回ＴＴＩ以外である場合には、当該クロック供給の状態を維持させる。
【００７４】
次に、受信データ処理部２１は、クロック供給の状態がＯＦＦである否かを判定する（ステップＳ２２）。
【００７５】
そして、クロック供給の状態がＯＦＦでないと判定される場合には（ステップＳ２２Ｎｏ）、既に蓄積された受信データおよび再送された１ＴＴＩ分の受信データが合成され、再送合成バッファ２１ａに格納される（ステップＳ２３）。
【００７６】
引き続き、復号部２１ｂは、制御情報抽出部２５によって抽出される復号パラメータを用いて、再送合成バッファ２１ａに蓄積された受信データを復号する（ステップＳ２４）。
【００７７】
その後、受信エラー判定部２２は、受信データ処理がされた受信データが正常であるか否かを判定する（ステップＳ２５）。
【００７８】
また、受信エラー判定部２２は、受信判定結果（ＡＣＫ／ＮＡＣＫ）を受信データ処理制御部２３および送信部２６に通知する（ステップＳ２６）。
【００７９】
そして、受信データ処理制御部２３は、受信判定結果が受信成功（ＡＣＫ）であると判定する場合には（ステップＳ２７Ｙｅｓ）、受信データ処理（再送合成処理および復号処理）動作のクロック供給をＯＦＦし（ステップＳ２８）、再送データ受信処理を終了する。
【００８０】
一方、受信データ処理制御部２３は、受信判定結果が受信失敗（ＮＡＣＫ）であると判定する場合には（ステップＳ２７Ｎｏ）、所定数のＴＴＩにわたる再送データが全て受信されたか否かを判定する（ステップＳ２９）。
【００８１】
所定数のＴＴＩにわたる再送データが全て受信されていないと判定された場合には（ステップＳ２９Ｎｏ）、次のＴＴＩ分の再送データを待ち合わせるために、ステップＳ１１に移行する。
【００８２】
所定数のＴＴＩにわたる再送データが全て受信されたと判定された場合には（ステップＳ２９Ｙｅｓ）、当該再送データの再再送が送信側通信装置１０によって実行されることになる。
【００８３】
上記実施例２によれば、受信側通信装置２０は、送信側通信装置１０から所定数のＴＴＩにわたって送信されてきた受信データをＴＴＩごとに順次蓄積する再送合成バッファ２１ａを備え、再送合成バッファ２１ａによって蓄積された受信データとＴＴＩごとに再送された受信データとを合成し、合成された受信データを復号し、復号の結果、受信データが正常であるか否かを判定し、正常であると判定された場合には、所定数のＴＴＩのうち正常であると判定されたＴＴＩ以降の受信データの受信データ処理（再送合成処理および復号処理）を中止するようにした。
【００８４】
かかる構成によれば、受信側通信装置２０は、受信データが再送されるとき、所定数のＴＴＩのうち正常であると判定されたＴＴＩ以降から所定数最後のＴＴＩまでの各受信データの受信データ処理を実行しないため、その分の受信データ処理にかかる無駄な電力消費を抑制することができる。
【００８５】
ところで、実施例２に係る通信装置２では、所定数のＴＴＩのうち正常であると判定されたＴＴＩ以降の受信データの受信データ処理を中止するようにしたが、次のような構成にしても良く、実施例３として、以下に説明する。
【実施例３】
【００８６】
まず、実施例３に係る通信装置３の構成について図６を参照しながら説明する。図６は、実施例３に係る通信装置の構成を示す機能ブロック図である。なお、図２に示す通信装置２と同一の構成については同一符号を付すことで、その重複する構成および動作の説明については省略する。実施例２と実施例３とが異なるところは、受信品質計測部３１および受信品質判定部３２を追加した点にある。
【００８７】
受信品質計測部３１は、送信側通信装置１０から送信される、所定数のＴＴＩにわたる受信データの受信品質（例えば、ＳＩＮＲ：Signal Noise Ratio）をＴＴＩごとに計測する。また、受信品質計測部３１は、送信側通信装置１０から受信データが再送された場合に、再送された受信データの受信品質をＴＴＩごとに計測する。
【００８８】
受信品質判定部３２は、送信側通信装置１０から所定数のＴＴＩにわたる受信データが再送された場合に、再送データの受信品質が、再送以前に送信された受信データの受信品質より大きく劣化しているか否かを１ＴＴＩ分のデータごとに判定し、判定結果を受信データ処理制御部２３に通知する。なお、データの受信品質が大きく劣化した場合には、例えばデータにエラーを含んだ場合がある。
【００８９】
具体的には、受信品質判定部３２は、再送データの受信品質の値が再送以前に送信された受信データの受信品質の値より所定の閾値以上大きいか否かを１ＴＴＩ分のデータごとに判定する。また、受信品質判定部３２は、再送データの受信品質の値が再送以前に送信された受信データの受信品質の値より所定の閾値以上大きいと判定された場合には、再送合成するとデータ特性を劣化させる可能性があると判断して、判定結果を「再送合成処理無し」とする。一方、受信品質判定部３２は、再送データの受信品質の値が再送以前に送信された受信データの受信品質の値より所定の閾値以上大きくないと判定された場合には、再送合成するとデータ特性の向上が期待できると判断して、判定結果を「再送合成処理有り」とする。
【００９０】
なお、所定の閾値は、例えば１０であるが、これに限定されず、例えば通信状態によって可変にすることができるものとする。また、受信品質判定部３２は、再送データの受信品質の値が再送以前に送信された受信データの受信品質の値より所定の閾値以上大きいか否かを判定するものとしたが、これに限定されず、受信品質判定部３２は、再送データの受信品質の値が再送以前に送信された受信データの受信品質の値以上であるか否かを判定するものとしても良い。
【００９１】
受信データ処理制御部２３は、受信品質判定部３２から判定結果を取得すると、判定結果に基づいて、受信データ処理部２１を制御する。
【００９２】
具体的には、受信データ処理制御部２３は、判定結果が「再送合成処理無し」である場合には、受信データ処理を動作させるクロック供給を中止（ＯＦＦ）するようにクロック発振器を制御する。その結果、再送合成バッファ２１ａおよび復号部２１ｂは、再送データの劣化が大きいと判断された１ＴＴＩ分の受信データの受信データ処理を中止する。
【００９３】
一方、受信データ処理制御部２３は、判定結果が「再送合成処理有り」である場合には、受信データ処理を動作させるクロック供給を実行（ＯＮ）するようにクロック発振器を制御する。
【００９４】
次に、実施例３に係る通信装置３の再送制御について、図７および図８を参照して説明する。図７は、実施例３に係る通信装置３の再送制御を説明する図であり、図８は、合成処理の有無の判定を説明する図である。なお、１無線フレームを１ＴＴＩとし、１回の送受信は１０ＴＴＩの時間行われる。また、ＲＴＴは、６無線フレーム（６ＴＴＩ）である。さらに、初回の送信において、データ＃１−８と＃１−９に誤り訂正不可能なエラーが含まれているものとする。
【００９５】
さらに、初回の送信において、データ＃１−８と＃１−９に誤り訂正不可能なエラーが含まれているものとする。したがって、無線フレームＦ４〜Ｆ１３における初回の送信におけるＴＴＩごとの復号処理は失敗し、ＮＡＣＫが送信側通信装置１０に送信され、データ＃１が送信側通信装置１０によって再送される。
【００９６】
初回の送信において、受信側通信装置２０では、データ＃１におけるＴＴＩごとのデータのＳＩＮＲを計測して記憶する。
【００９７】
送信側通信装置１０は、ＴＴＩごとの全データ＃１−１〜１０においてＮＡＣＫを受信すると、データ＃１の再送を開始する。
【００９８】
受信側通信装置２０は、無線フレームＦ１８において、再送されたデータ＃１における１番目のＴＴＩのデータ＃１−１を受信し、受信したデータ＃１−１のＳＩＮＲ（Ａ´）と、初回に受信されたデータ＃１−１のＳＩＮＲ（Ａ）との差分（劣化量）を計算する。図８の例では、データ＃１-１の劣化量は「１２」であり、再送データ＃１−１の受信品質が初回データ＃１−１の受信品質と比べて劣化し、且つその劣化量が閾値（「１０」）以上となり、再送合成するとデータ特性を劣化させる可能性があると判断して、データ＃１−１の再送合成処理を無しにする。その結果、データ＃１−１の受信データ処理（再送合成処理および復号処理）は中止される。
【００９９】
また、受信側通信装置２０は、無線フレームＦ１９〜Ｆ２２においても、再送データ＃１−２〜５の受信品質（「２５」、「２０」、「１５」、「１０」）がそれぞれ初回データ＃１−２〜５の受信品質と比べて劣化し、且つ図８の例ではその劣化量がそれぞれ閾値（「１０」）以上となり、データ＃１−２〜５の再送合成処理を無しにする。その結果、データ＃１−２〜５の受信データ処理（再送合成処理および復号処理）は中止される。
【０１００】
受信側通信装置２０は、無線フレームＦ２３において、再送データ＃１−６の受信品質が初回データ＃１−６の受信品質と比べて劣化しているが、図８の例ではその劣化量（「７」）が閾値（「１０」）未満となり、初回データの受信時よりもデータ特性が劣化するレベルではないと判断して、データ＃１−６の再送合成処理を有りにする。その結果、データ＃１−６の受信データ処理（再送合成処理および復号処理）は実行される。
【０１０１】
引き続き、受信側通信装置２０は、無線フレームＦ２３において、データ＃１−６と既に再送合成バッファ２１ａに格納されているデータ＃１−６とを合成して、再送合成バッファ２１ａに格納する。次の無線フレームＦ２４では、再送合成バッファ２１ａに既に格納されているデータ＃１−１〜１０の復号処理および受信エラー判定処理を実行する。図７の例では、無線フレームＦ２４時点で１０ＴＴＩ分のデータが再送合成バッファ２１ａに格納されているが、データ＃１−８〜９に誤り訂正不可能なエラーが含まれているため、受信エラー判定処理では、受信失敗となり、次の無線フレームＦ２５において、ＮＡＣＫを送信側通信装置１０に送信する。
【０１０２】
その後、受信側通信装置２０は、無線フレームＦ２６において、再送データ＃１−９の受信品質が初回データ＃１−９の受信品質と比べて劣化しておらず、図８の例ではその劣化量（「−７」）が閾値（「１０」）未満となり、再送合成するとデータ特性の向上が期待できると判断して、データ＃１−９の再送合成処理を有りにする。その結果、データ＃１−９の受信データ処理（再送合成処理および復号処理）は実行される。
【０１０３】
受信側通信装置２０は、無線フレームＦ２６において、データ＃１−９と既に再送合成バッファ２１ａに格納されているデータ＃１−９とを合成して、再送合成バッファ２１ａに格納する。次の無線フレームＦ２７では、再送合成バッファ２１ａに既に格納されているデータ＃１−１〜１０の復号処理および受信エラー判定処理を実行する。図７の例では、データ＃１−１〜１０にエラーが含まれていないため、受信エラー判定処理では、受信成功となり、次の無線フレームＦ２８において、ＡＣＫを送信側通信装置１０に送信する。
【０１０４】
受信側通信装置２０は、再送されたデータ＃１−９に対する受信エラー判定処理の判定結果が受信成功となったため、データ＃１−９以降に再送されるデータ＃１−１０に対する受信データ処理（再送合成処理および復号処理）を中止する。
【０１０５】
これにより、受信側通信装置２０が、再送データの受信品質が初回データの受信品質より劣化している場合、当該再送データ（図７の例では、データ＃１−１〜５）に対する受信データ処理（再送合成処理および復号処理）を実行しないため、さらに無駄な電力の消費を抑制することが可能となる。
【０１０６】
次に、実施例３に係る受信側通信装置２０の再送制御の処理手順を、図９を参照して説明する。図９は、実施例３に係る受信側通信装置２０の再送制御の処理手順を示すフローチャートである。なお、図５に示す実施例２に係る受信側通信装置２０の受信制御と同一の処理については同一符号を付すことで、その重複する処理の説明については簡略する。
【０１０７】
まず、受信側通信装置２０の復調部２４は、送信側通信装置１０から送信される送信データが受信されたか否かを判定し（ステップＳ１１）、送信データが受信されないと判定する場合には（ステップＳ１１Ｎｏ）、送信データが受信されるまで待ち合わせる。
【０１０８】
そして、送信データが受信されたと判定される場合には（ステップＳ１１Ｙｅｓ）、復調部２４は、受信された受信データを復調する（ステップＳ１２）。なお、復調部２４は、所定数のＴＴＩにわたる受信データを１ＴＴＩごと復調して、以下の処理に移行する。
【０１０９】
さらに、制御情報抽出部２５は、復調部２４によって復調された１ＴＴＩ分の受信データに含まれた制御情報を抽出する（ステップＳ１３）。
【０１１０】
引き続き、受信品質計測部３１は、制御情報抽出部２５によって抽出された新規／再送情報に基づいて、新規データであるか否かを判定する（ステップＳ１４）。
【０１１１】
そして、新規データであると判定される場合には（ステップＳ１４Ｙｅｓ）、受信品質計測部３１は、１ＴＴＩ分の受信データのＳＩＮＲを計測して保持する（ステップＳ３１）。
【０１１２】
そして、受信データ処理制御部２３は、受信データ処理（再送合成処理および復号処理）動作のクロック供給をＯＮする（ステップＳ１５）。
【０１１３】
さらに、再送合成バッファ２１ａには、１ＴＴＩ分の受信データが格納される（ステップＳ１６）。
【０１１４】
引き続き、復号部２１ｂは、制御情報抽出部２５によって抽出される復号パラメータを用いて、再送合成バッファ２１ａに蓄積された受信データを復号する（ステップＳ１７）。
【０１１５】
その後、受信エラー判定部２２は、復号処理を含めた受信データ処理がされた受信データが正常であるか否かを判定する（ステップＳ１８）。
【０１１６】
また、受信エラー判定部２２は、受信判定結果（ＡＣＫ／ＮＡＣＫ）を受信データ処理制御部２３および送信部２６に通知する（ステップＳ１９）。
【０１１７】
そして、受信データ処理制御部２３は、受信判定結果が受信成功（ＡＣＫ）であると判定する場合には（ステップＳ２０Ｙｅｓ）、受信データの受信が成功であったため、受信データの受信処理を終了する。
【０１１８】
一方、受信データ処理制御部２３は、受信判定結果が受信失敗（ＮＡＣＫ）であると判定する場合には（ステップＳ２０Ｎｏ）、受信データの受信が失敗したため、所定数のＴＴＩにわたる受信データが全て受信されたか否かを判定する（ステップＳ２１）。
【０１１９】
所定数のＴＴＩ分の受信データが全て受信されていないと判定された場合には（ステップＳ２１Ｎｏ）、次のＴＴＩ分の受信データを待ち合わせるために、ステップＳ１１に移行する。
【０１２０】
所定数のＴＴＩにわたる受信データが全て受信されたと判定された場合には（ステップＳ２１Ｙｅｓ）、その後、当該受信データの再送が送信側通信装置１０によって実行される。
【０１２１】
一方、受信品質計測部３１は、新規データでなく再送データであると判定する場合には（ステップＳ１４Ｎｏ）、受信品質計測部３１は、今回以前のＴＴＩ分の受信データに関する受信判定結果が既に受信成功（ＡＣＫ）であったか否かを判定する（ステップＳ３２）。
【０１２２】
今回以前のＴＴＩ分の受信データに関する受信判定結果が既に受信成功（ＡＣＫ）であったと判定する場合には（ステップＳ３２Ｙｅｓ）、受信品質計測部３１は、今回のＴＴＩ分の再送データに関して受信データ処理を中止するために、ステップＳ２８に遷移する。
【０１２３】
一方、今回以前のＴＴＩ分の受信データに関する受信判定結果がまだ受信成功（ＡＣＫ）でないと判定する場合には（ステップＳ３２Ｎｏ）、１ＴＴＩ分の再送データのＳＩＮＲを計測して保持する（ステップＳ３３）。
【０１２４】
引き続き、受信品質判定部３２は、再送データの受信品質の値（Ｘ´）と再送以前に送信された受信データの受信品質の値（Ｘ）との差分（劣化量）が所定の閾値未満であるか否かを１ＴＴＩ分のデータごとに判定する（ステップＳ３４）。
【０１２５】
そして、再送データの受信品質の値（Ｘ´）と再送以前に送信された受信データの受信品質の値（Ｘ）との差分（劣化量）が所定の閾値未満でないと判定される場合には（ステップＳ３４Ｎｏ）、再送合成するとデータ特性を劣化させる可能性があると判断して、ステップＳ２８に遷移する。
【０１２６】
一方、再送データの受信品質の値（Ｘ´）と再送以前に送信された受信データの受信品質の値（Ｘ）との差分（劣化量）が所定の閾値未満であると判定される場合には（ステップＳ３４Ｙｅｓ）、再送合成するとデータ特性の向上が期待できると判断して、受信データ処理部２１は、クロック供給の状態がＯＦＦである否かを判定する（ステップＳ２２）。
【０１２７】
そして、クロック供給の状態がＯＦＦでないと判定される場合には（ステップＳ２２Ｎｏ）、後述するステップＳ２３に遷移する。
【０１２８】
一方、クロック供給の状態がＯＦＦであると判定される場合には（ステップＳ２２Ｙｅｓ）、受信データ処理制御部２３は、受信データ処理（再送合成処理および復号処理）動作のクロック供給をＯＮする（ステップＳ３５）。
【０１２９】
引き続き、既に蓄積された受信データおよび再送された１ＴＴＩ分の受信データが合成され、再送合成バッファ２１ａに格納される（ステップＳ２３）。
【０１３０】
引き続き、復号部２１ｂは、制御情報抽出部２５によって抽出される復号パラメータを用いて、再送合成バッファ２１ａに蓄積された受信データを復号する（ステップＳ２４）。
【０１３１】
その後、受信エラー判定部２２は、復号処理を含めた受信データ処理がされた受信データが正常であるか否かを判定する（ステップＳ２５）。
【０１３２】
また、受信エラー判定部２２は、受信判定結果（ＡＣＫ／ＮＡＣＫ）を受信データ処理制御部２３および送信部２６に通知する（ステップＳ２６）。
【０１３３】
そして、受信データ処理制御部２３は、受信判定結果が受信成功（ＡＣＫ）であると判定する場合には（ステップＳ２７Ｙｅｓ）、受信データ処理（再送合成処理および復号処理）動作のクロック供給をＯＦＦし（ステップＳ２８）、再送データ受信処理を終了する。
【０１３４】
一方、受信データ処理制御部２３は、受信判定結果が受信失敗（ＮＡＣＫ）であると判定する場合には（ステップＳ２７Ｎｏ）、所定数のＴＴＩにわたる再送データが全て受信されたか否かを判定する（ステップＳ２９）。
【０１３５】
所定数のＴＴＩにわたる再送データが全て受信されていないと判定された場合には（ステップＳ２９Ｎｏ）、次のＴＴＩ分の再送データを待ち合わせるために、ステップＳ１１に移行する。
【０１３６】
所定数のＴＴＩにわたる再送データが全て受信されたと判定された場合には（ステップＳ２９Ｙｅｓ）、当該再送データの再再送が送信側通信装置１０によって実行されることになる。
【０１３７】
上記実施例３によれば、受信側通信装置２０は、送信側通信装置１０から所定数のＴＴＩにわたって送信されてきた受信データをＴＴＩごとに順次蓄積する再送合成バッファ２１ａを備え、再送合成バッファ２１ａによって蓄積された受信データとＴＴＩごとに再送された受信データとを合成し、合成された受信データを復号し、復号の結果、受信データが正常であるか否かを判定し、正常であると判定された場合には、所定数のＴＴＩのうち正常であると判定されたＴＴＩ以降の受信データの受信データ処理（再送合成処理および復号処理）を中止するようにした。さらに、受信側通信装置２０は、ＴＴＩごとの受信データの受信品質を計測し、再送時の受信データの受信品質が再送以前の受信データの受信品質より大きく劣化しているか否かをＴＴＩごとに判定し、大きく劣化していると判定された場合には、該当するＴＴＩにおける受信データの受信データ処理を中止するようにした。
【０１３８】
かかる構成によれば、受信側通信装置２０は、受信データが再送されるとき、所定数のＴＴＩのうち受信品質が再送以前の受信品質より大きく劣化していると判定されたＴＴＩの受信データの受信データ処理を実行しないため、その分の受信データ処理にかかる無駄な電力消費を抑制することができる。
【０１３９】
また、受信側通信装置２０は、受信データが再送されるとき、所定数のＴＴＩのうち受信品質が再送以前の受信品質より大きく劣化していると判定されたＴＴＩの受信データの受信データ処理を回避することができるため、再送処理時間の短縮化を図ることができ、再送制御の効率を向上させることができる。
【０１４０】
また、受信側通信装置２０は、受信データが再送されるとき、所定数のＴＴＩのうち正常であると判定されたＴＴＩ以降から所定数最後のＴＴＩまでの各受信データの受信データ処理を実行しないため、その分の受信データ処理にかかる無駄な電力消費を抑制することができる。
【０１４１】
以上、本発明の実施例について説明したが、本実施例によって本発明の技術的思想の範囲が限定されるものではなく、特許請求の範囲に記載した技術的範囲の範囲を逸脱しない限り、各種様々な実施例が実施可能であることは言うまでもない。また、本実施例に記載した効果は、これに限定されるものではない。
【０１４２】
また、図示した通信装置１〜３の各構成要素は機能概念的に記載したものであって、必ずしも物理的に図示のように構成されるものではなく、その通信装置１〜３の具体的な態様は図示のものに限縮されるものでは到底ないことは言うまでもない。
【０１４３】
なお、通信装置１〜３にて行われる各処理機能は、その全部または任意の一部が、ＣＰＵ（Central Processing Unit）（またはＭＰＵ（Micro Processing Unit）、ＭＣＵ（Micro Controller Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されても良い。
【０１４４】
また、通信装置１〜３にて行われる各処理機能は、その全部または任意の一部が、ＣＰＵ（Central Processing Unit）（またはＭＰＵ（Micro Processing Unit）、ＭＣＵ（Micro Controller Unit）などのマイクロ・コンピュータ）および当該ＣＰＵ（またはＭＰＵ、ＭＣＵなどのマイクロ・コンピュータ）にて解析実行させるために、コンピュータ読み取り可能な記録媒体に記録されるものであっても良く、この場合でも、上記実施例と同様の効果が得られることは言うまでもない。
【０１４５】
以上の実施例に係る実施形態に関し、さらに以下の付記を開示する。
【０１４６】
（付記１）送信側の通信装置から所定数の処理単位で再送されてきた受信データに基づいて、受信データ処理を実行する受信データ処理部と、
前記所定数の処理単位のデータを受信する度に、前記受信データ処理部によって実行された受信データ処理の結果、前記受信データが正常であるか否かを判定する受信エラー判定部と、
前記受信エラー判定部によって前記受信データが正常であると判定された場合、前記所定数の処理単位のうち正常であると判定された処理単位以降の前記受信データの受信データ処理を中止するように前記受信データ処理部を制御する受信データ処理制御部と
を有することを特徴とする通信装置。
【０１４７】
（付記２）前記受信データ処理部は、
前記送信側の通信装置から前記所定数の処理単位で送信されてきた受信データを前記処理単位ごとに順次記憶するデータ記憶部を有し、
前記データ記憶部によって記憶された受信データと再送された受信データとを前記処理単位ごとに合成し、合成した受信データを復号することを特徴とする付記１に記載の通信装置。
【０１４８】
（付記３）前記受信データ処理制御部は、
前記受信エラー判定部によって前記受信データが正常であると判定された場合、前記受信データ処理を動作させるクロックの供給を中止するように制御することを特徴とする付記１または付記２に記載の通信装置。
【０１４９】
（付記４）前記送信側の通信装置から送信されてきた受信データの受信品質を前記処理単位ごとに計測する受信品質計測部と、
前記受信データが再送された場合、前記受信品質計測部によって計測された再送時の受信データの受信品質が、前記受信品質計測部によって計測された再送以前の受信データの受信品質より劣化しているか否かを前記処理単位ごとに判定する受信品質判定部とを有し、
前記受信データ処理制御部は、
前記受信品質判定部によって再送時の受信データの受信品質が再送以前の受信データの受信品質より劣化していると判定された場合、該当処理単位における前記受信データの受信データ処理を中止するように前記受信データ処理部を制御することを特徴とする付記１から付記３のいずれか１つに記載の通信装置。
【０１５０】
（付記５）前記受信品質判定部は、
再送時の受信データの受信品質が、再送以前の受信データの受信品質より大きく劣化しているか否かを前記処理単位ごとに判定することを特徴とする付記４に記載の通信装置。
【０１５１】
（付記６）前記受信品質判定部は、
前記再送時の受信データの受信品質値が、再送以前の受信データの受信品質値より所定の閾値以上大きいか否かを前記処理単位ごとに判定することを特徴とする付記５に記載の通信装置。
【０１５２】
（付記７）前記受信エラー判定部によって判定された判定結果を前記送信側の通信装置に送信する送信部を有することを特徴とする付記１から付記６のいずれか１つに記載の通信装置。
【０１５３】
（付記８）送信側の通信装置から所定数の処理単位で再送されてきた受信データに基づいて、受信データ処理を実行する受信データ処理工程と、
前記所定数の処理単位のデータを受信する度に、前記受信データ処理工程によって実行された受信データ処理の結果、前記受信データが正常であるか否かを判定する受信エラー判定工程と、
前記受信エラー判定工程によって前記受信データが正常であると判定された場合、前記所定数の処理単位のうち正常であると判定された処理単位以降の前記受信データの受信データ処理を中止するように前記受信データ処理工程を制御する受信データ処理制御工程と
を含むことを特徴とする通信方法。
【符号の説明】
【０１５４】
１、２、３  通信装置
１０  送信側通信装置
１１  再送バッファ
１２  誤り判定情報付加部
１３  誤り訂正符号処理部
１４  変調部
１５  再送制御部
１６  符号化処理パラメータ生成部
１７  制御情報生成部
１８  受信部
２０  受信側通信装置
２１  受信データ処理部
２１ａ  再送合成バッファ
２１ｂ  復号部
２２  受信エラー判定部
２３  受信データ処理制御部
２４  復調部
２５  制御情報抽出部
２６  送信部
３１  受信品質計測部
３２  受信品質判定部
【図１】
2011015238.tif 000003
【図２】
2011015238.tif 000004
【図３】
2011015238.tif 000005
【図４】
2011015238.tif 000006
【図５】
2011015238.tif 000007
【図６】
2011015238.tif 000008
【図７】
2011015238.tif 000009
【図８】
2011015238.tif 000010
【図９】
2011015238.tif 000011
【図１０】
2011015238.tif 000012
【図１１】
2011015238.tif 000013